(57)【要約】【課題】移動、設置が簡単で、外観もよく、清潔で、用便者に自然との親近感、安心感をもたらすことができる仮設トイレを提供する。【解決手段】木造による建屋と一体的に組み込まれた便槽も内蔵する簡易水洗仮設トイレで、そのまま車載による移動が可能であることを特徴とする。【選択図】  図２
2007040071.tif 000002
【特許請求の範囲】
【請求項１】
便槽も内蔵し、建屋と一体的に組み込まれていることを特徴とする車載移動式木造建屋一体型仮設簡易水洗トイレ。
【請求項２】
給水タンクを備えて簡易水洗ができ、便器と便槽が連結され、衛生的であることを特徴とする仮設簡易水洗トイレ。
【請求項３】
建屋本体を木造とすることによって美感と自然とのふれあいで安らぎ感を用便者にもたらすことができることを特徴とする仮設簡易水洗トイレ。
【請求項４】
男子小便専用器から男女大小兼用、和洋式などのユニットの任意の組み合わせが可能であり、かつ、その規模が大きくなるほど風格も増し、安定感も備わることを特徴とする仮設簡易水洗トイレ。
【請求項５】
建屋一体のまま車載で移動できることを特徴とする仮設簡易水洗トイレ。
【発明の詳細な説明】
【技術分野】
【０００１】  この発明は仮設簡易水洗トイレに関するものであり、便槽も内蔵する木造建屋一体型とし、そのまま車載移動ができることを特徴とするものである。
【背景技術】
【０００２】  従来から、特に工事現場などで使用する移動式仮設トイレはあるが、その殆どは便槽を地面に埋設する方式、しかも、開放的な自然落下式が一般的である。
【発明の開示】
【発明が解決しようとする課題】
【０００３】  これらは設置現場での地面の掘削や組立作業、撤去の際の埋戻しなどに相当の手数を要し、しかも、当該現場は電源が無いのが一般的で強制排気ファンの設備ができなく、また、仮設であるがゆえの便器に汚物付着とか便室内の汚臭は避けられないなど環境衛生的にも問題を抱えているものが多い。【０００４】  また、外観的に如何にも移動式の仮設らしい構造のイメージが強く、利用者はやむなく美感上とか安定感上ある程度の不満に耐えながら使用せざるを得ないというのが一般的である。
【課題を解決するための手段】
【０００５】  この課題を解決するための請求項１の発明は、床下に便槽を内蔵し、土台から屋根まで完成された建屋と一体的に組み込まれていることを特徴とする。【０００６】  請求項２の発明は、給水タンクを備えて簡易水洗もでき、しかも、便器と便槽が連結され、衛生的であることを特徴とする。【０００７】  請求項３の発明は、建屋を木造とすることによって、美感と自然とのふれあいで安らぎ感を用便者にもたらすことができることを特徴とする。【０００８】  請求項４の発明は、男子小便専用から男女大小兼用、さらに洋式、和式などのユニットの複数の任意の組み合わせが可能であり、かつ、その規模が大きくなるほど風格も増し、安定感も備わることを特徴とする。【０００９】  請求項５の発明は、前記各項を備えた一般的には４連式の規模まではそのまま４トン積みトラックで、５連式以上は適宜相応のトレーラーで運搬、移動ができることを特徴とする。
【発明の効果】
【００１０】  この発明により、木造建屋と一体的な仮設簡易水洗トイレを車に載せて運搬し、現地では仮設用ブロックなどの上に降ろし、土台を仮固定するだけで設置を完成させることができる。【００１１】  設置場所は工事現場などばかりではなく、野外イベント会場や公園などに臨時設置しても固定式と殆ど変わらない風格と美観と自然味あふれる木造の感触で親しみと快適性を感じさせることができ、特にも災害避難所などでは不安状態にある避難者の用便時の安らぎに役立つこともできる。【００１２】  ４トン積みトラックでは４連式までを標準規模とするが、５連式以上は適宜積載可能なトレーラーで運搬移動し、また、設置場所における必要に応じて連設することができる。【００１３】  簡易水洗ができるほか、便器と便槽が連結され、かつ、臭気排出口により便槽の汚臭を滞留させないで排出させることができて衛生的である。
【発明を実施するための最良の形態】
【０００１４】  図１は、この発明の実施例に係る仮設簡易水洗トイレの外観斜視図で、木造の建屋本体１の右側壁６Ｂ下部の一部を開示し、床４と土台２の間に設置された便槽１１の一部が見えるようにしたもので、床４に床汲取開口部５、その下部の便槽８に汲取口１４が設けられている。建屋本体１の土台２は仮設固定ブロック３に固定される。この実施例は、便室を３室を仕切壁７によって仕切り連設した場合の例で１０Ａ、１０Ｂ、１０Ｃはそれらの便室ドア、９Ａ、９Ｂは踏段である。便室ドア１０Ｃの下部奥に小便器１０Ｃの一部が、また、右側壁６Ｂの下部を一部断裁部分に便槽１１、その上隅に臭突１２が見え、その上部延長線屋根上に臭気ファン１３がつけられている。【０００１５】  図２は、建屋本体１の前面部を開放状態にするとともに、仕切壁７Ａ、同７Ｂ及び側壁６Ｂの一部を断裁して各便室の内部を開示した斜視図である。便槽１１に汲取口１４が、また、先端に自然通風による排気ファン１３が取り付けられた臭突１２が設けられている。この実施例は、和式大小兼用便器１５Ａ、洋式便器１５Ｂ、小便器１５Ｃの３連式設置例である。簡易水洗のための給水管の１６、便器１５Ａに付属手洗器兼簡易水洗タンク１７、便器１５Ｂに付属の簡易水洗タンク１８、これらに付帯する簡易水洗レバー１９Ａ、同１９Ｂ、同１９Ｃ、手洗器２０Ａ、同２０Ｂ、これらに給水する手洗蛇口２１Ａ、同２１Ｂ、同２１Ｃの構成状況を示す。【０００１６】  図３は、建屋本体１の背面の斜視図であり、背壁８の外面に給水タンク架台２２が取り付けられ、その上に給水タンク２３が置かれ、これに設けられた注水口２４、給水タンク２３から内部に配水される配水管２５の構成状況を示し、建屋本体１の上部には臭突１２、その先端に臭気ファン１３が取り付けられている。【０００１７】  この発明の実施の形態は、以上に詳述した構成からなるもので、仮設固定ブロック３及び踏段９以外は、それらの構成体丸ごとの建屋本体１を吊り上げて車載し移動することが可能である。
【産業上の利用可能性】
【００１８】  この発明は、木造建屋一体型で車載移動ができ、特に工事現場や野外イベント会場、また、災害発生時における避難所などで直ちに使用可能で、しかも、衛生的で安定感、自然との親近感のある仮設水洗トイレを提供することができるとともに、規格品として予備生産が可能であり、かつ、木材産業の振興に貢献するところが大きい。
【図面の簡単な説明】
【００１９】
【図１】この発明の実施例に係る建屋本体の外観斜視図である。
【図２】内部の要部構成状況が見えるようにした正面斜視図である。
【図３】建屋本体の背面外観斜視図である。
【符号の説明】
【００２０】  １  建屋本体
２  土台
３  仮設固定ブロック
４  床
５  床汲取開口部
６  側壁
７  仕切壁
８  背壁
９  踏段
１０  便室ドア
１１  便槽
１２  臭突
１３  排気ファン
１４  汲取口
１５  便器
１６  給水管
１７  手洗器兼簡易水洗タンク
１８  簡易水洗タンク
１９  簡易水洗レバー
２０  手洗器
２１  手洗蛇口
２２  給水タンク架台
２３  給水タンク
２４  注水口
２５  配水管
【図１】
2007040071.tif 000003
【図２】
2007040071.tif 000004
【図３】
2007040071.tif 000005